(57)【特許請求の範囲】
【請求項１】
第１の無線デバイスによって、セカンダリデバイスツーデバイス同期信号（ＳＤ２ＤＳＳ）の電力を設定して、第２の無線デバイスが当該第２の無線デバイスのタイミングを前記第１の無線デバイスに由来するタイミングに同期させることを可能にする方法であって、
前記第１の無線デバイスにより送信されるプライマリデバイスツーデバイス同期信号（ＰＤ２ＤＳＳ）（Ｓ１０４）の電力を決定すること（Ｓ１００）と、
前記ＰＤ２ＤＳＳの前記電力よりも小さく、前記ＳＤ２ＤＳＳの前記電力を設定すること（Ｓ１０２）と、
を含む方法。
【請求項２】
前記ＰＤ２ＤＳＳの前記電力よりも小さく前記ＳＤ２ＤＳＳの前記電力を設定することは、前記ＳＤ２ＤＳＳの前記電力を、予め決定され又は構成可能な電力オフセットの分だけ、前記ＰＤ２ＤＳＳの前記電力よりも小さく設定すること、を含む、請求項１の方法。
【請求項３】
前記ＳＤ２ＤＳＳは、前記ＰＤ２ＤＳＳとの比較で電力オフセットによって決定される通りに、ＰＤ２ＤＳＳよりも小さい送信電力で送信される、請求項１又は請求項２の方法。
【請求項４】
前記電力オフセットは、−４ｄＢである、請求項２又は請求項３の方法。
【請求項５】
前記ＰＤ２ＤＳＳは、Zadoff-Chu（ＺＣ）シーケンスを含み、前記ＳＤ２ＤＳＳは、Ｍシーケンスを含む、請求項１の方法。
【請求項６】
前記電力オフセットを前記第１の無線デバイスにより自律的に決定すること、をさらに含む、請求項２の方法。
【請求項７】
前記ＳＤ２ＤＳＳの設定される前記電力は、前記ＰＤ２ＤＳＳの前記電力が予め決定される量を上回る場合にのみ調整される（Ｓ１０８）、請求項１の方法。
【請求項８】
前記ＳＤ２ＤＳＳは、セカンダリ同期信号（ＳＳＳ）を生成する回路と同じ回路により生成される、請求項１の方法。
【請求項９】
無線デバイス（３２）であって、セカンダリデバイスツーデバイス同期信号（ＳＤ２ＤＳＳ）の電力を設定して、第２の無線デバイスが当該第２の無線デバイスのタイミングを前記無線デバイスのタイミングに同期させることを可能にする、ように構成され、
プロセッサ（４０）と、
前記プロセッサにより実行可能な命令を含むメモリ（３８）と、
を備え、
前記命令は、実行された場合に、前記プロセッサを、
前記無線デバイスにより送信されるプライマリデバイスツーデバイス同期信号（ＰＤ２ＤＳＳ）（Ｓ１０４）の電力を決定し（４８）、
前記ＰＤ２ＤＳＳの前記電力よりも小さく、前記ＳＤ２ＤＳＳの前記電力を設定する、
ように構成する、無線デバイス。
【請求項１０】
前記ＳＤ２ＤＳＳの前記電力は、前記ＰＤ２ＤＳＳの前記電力よりも小さく設定され、前記ＳＤ２ＤＳＳの前記電力は、構成可能な電力オフセットの分だけ、前記ＰＤ２ＤＳＳの前記電力よりも小さく設定される、請求項９の無線デバイス（３２）。
【請求項１１】
前記ＰＤ２ＤＳＳは、Zadoff-Chu（ＺＣ）シーケンスを含み、前記ＳＤ２ＤＳＳは、Ｍシーケンスを含む、請求項９の無線デバイス（３２）。
【請求項１２】
前記電力オフセットは、前記無線デバイスにより自律的に決定される、請求項１０の無線デバイス。
【請求項１３】
電力オフセット及び電力閾値のうちの一方を決定し及び無線デバイスへ送信する方法であって、
無線デバイスによりセカンダリデバイスツーデバイス同期信号（ＳＤ２ＤＳＳ）の電力を設定するための電力オフセット及び電力閾値のうちの少なくとも一方を決定することと、
前記電力オフセットは、プライマリデバイスツーデバイス同期信号（ＰＤ２ＤＳＳ）の電力を基準として決定されるオフセットであることと、前記電力閾値は、前記ＰＤ２ＤＳＳの電力よりも小さい場合に前記ＳＤ２ＤＳＳの電力として使用される値であることと、
前記電力オフセット及び前記電力閾値のうちの少なくとも一方を前記無線デバイスへ送信して、前記無線デバイスが前記電力オフセット及び前記電力閾値のうちの当該少なくとも一方を用いて前記ＳＤ２ＤＳＳの電力を前記ＰＤ２ＤＳＳの電力よりも小さく設定することを可能とすることと、
を含む方法。
【請求項１４】
プロセッサと、
前記プロセッサにより実行された場合に、前記プロセッサを、無線デバイスによりセカンダリデバイスツーデバイス同期信号（ＳＤ２ＤＳＳ）の電力を設定するための電力オフセット及び電力閾値のうちの少なくとも一方を決定するように構成する命令、を含むメモリと、
前記電力オフセット及び前記電力閾値のうちの少なくとも一方を前記無線デバイスへ送信して、前記無線デバイスが前記電力オフセット及び前記電力閾値のうちの当該少なくとも一方を用いて前記ＳＤ２ＤＳＳの電力をプライマリデバイスツーデバイス同期信号（ＰＤ２ＤＳＳ）の電力よりも小さく設定することを可能とする、ように構成される通信インタフェースと、
を備え、
前記電力オフセットは、前記ＰＤ２ＤＳＳの電力を基準として決定されるオフセットであり、前記電力閾値は、前記ＰＤ２ＤＳＳの電力よりも小さい場合に前記ＳＤ２ＤＳＳの電力として使用される値であり、
前記メモリは、前記電力オフセット及び前記電力閾値のうちの前記少なくとも一方を記憶する、ように構成される、
ネットワークノード。
【発明の詳細な説明】
【技術分野】
【０００１】
無線通信であって、具体的には、デバイスツーデバイス（Ｄ２Ｄ）同期信号（Ｄ２ＤＳＳ）の電力制御のための方法及びデバイスである。
【背景技術】
【０００２】
ユーザ機器（ＵＥ）などの無線デバイスのタイミングをサービング基地局のタイミングへ同期させる目的で、無線デバイスによりセルサーチが実行され、基地局から無線デバイスへのダウンリンク送信に含まれる同期信号の位置が特定され及び同期信号への同期がなされる。例えば、ＬＴＥ（long  term  evolution）のセルサーチは、概して、次の基本的なステップからなる：
・周波数の取得及びセルへのシンボル同期
・セルのフレームタイミングの取得−即ち、ダウンリンクフレームの開始の判定
・セルの物理レイヤセルＩＤの判定
【０００３】
ＬＴＥについては５０４個の異なる物理レイヤセルＩＤが定義されており、各セルＩＤは、１つの特定のダウンリンクリファレンス信号シーケンスに対応する。物理レイヤセルＩＤの集合は、さらに１６８個のセルＩＤグループへと分割され、各グループ内にセルＩＤが３つとなる。セルサーチを支援するために、プライマリ同期信号（ＰＳＳ）及びセカンダリ同期信号（ＳＳＳ）という２つの特殊な信号が、各ダウンリンクコンポーネントキャリア上で送信される。図１及び図２は、これら信号の例を示しており、即ち、周波数分割複信（ＦＤＤ）についてはフレーム６、時間分割複信（ＴＤＤ）についてはフレーム８との関連での、ＰＳＳ２及びＳＳＳ４である。
【０００４】
図３に示されているのは、長さ６３である３つのZadoff-Chu（ＺＣ）シーケンスからなる３つのＰＳＳであって、エッジにて５つのゼロで拡張され、７３個のサブキャリアの中央、即ち６つのリソースブロックの中央へとマッピングされている。具体的には、直交周波数分割多重（ＯＦＤＭ）変調器１２は、ＺＣシーケンス１０を受け取り、当該シーケンスをサブキャリア上へ変調する。変調シーケンスには、サイクリックプレフィクス１４が挿入される。なお、中央のサブキャリアは、ＤＣサブキャリアと衝突するために、実質的には送信されない。よって、基地局によって、長さ６３のＺＣシーケンスのうち６２個のエレメントのみが無線デバイスへと送信される。ＰＳＳと同様に、ＳＳＳは、ＦＤＤ及びＴＤＤの双方について、サブフレーム０及び５におけるＤＣキャリアを含まない７２個のリソースエレメントを占める。受信機により異なる複数の同期信号を別々に又は併せて使用して、必要とされる同期機能及び推定機能を実行することができる。例えば、ＰＳＳは、効率的な時間推定器の実装を可能とするシーケンス及び相関特性をそれ自体が有しているため、タイミングの取得のためにより適しているであろう。一方で、ＳＳＳは、恐らくはＰＳＳと併せて、周波数推定のためにより良好に適しており、これは無線フレーム内のその配置のおかげでもある。
【０００５】
ＳＳＳは、次のように設計されるべきである：
・２つのＳＳＳ（サブフレーム０内のＳＳＳ１及びサブフレーム５内のＳＳＳ２）は、それらの値を、異なる１６８個のセルＩＤグループに対応する１６８個の候補値の集合からとる。
・単一のＳＳＳの受信からのフレームタイミングの検出を可能とするために、ＳＳＳ２に適用可能な値の集合はＳＳＳ１に適用可能な値の集合とは相違する。
【０００６】
２つのＳＳＳの構造が図４に示されている。ＳＳＳ１  １６は、２つの長さ３１のｍシーケンスＸ及びＹの周波数インターリーブに基づいており、それらの各々は３１個の異なる値（実質的に同じｍシーケンスの３１個の異なるシフト）をとることができる。セル内で、ＳＳＳ２  １８は、ＳＳＳ１  １６と厳密に同じ２つのシーケンスに基づいている。但し、当該２つのシーケンスは、図４に示したように周波数領域でスワップされている。そして、ＳＳＳ１  １６についてのＸ及びＹの有効な組合せの集合が、周波数領域における２つのシーケンスのスワップがＳＳＳ１  １６についての有効な組合せにならいように選択されている。このように、上述した要件が充足される：
・ＳＳＳ１  １６についての（及びＳＳＳ２  １８についての）Ｘ及びＹの有効な組合せの集合は１６８個であって、物理レイヤセルＩＤの検出を可能とする。
・シーケンスＸ及びＹがＳＳＳ１  １６及びＳＳＳ２  １８の間でスワップされるため、フレームタイミングを見つけ出すことができる。
【０００７】
地上波無線ネットワークにおける旧来の通信は、ＵＥなどの無線デバイスとＬＴＥにおけるｅＮｏｄｅＢなどの基地局との間のリンクを介する。しかしながら、２つの無線デバイスが互いに近傍にある場合、直接的なデバイスツーデバイス（Ｄ２Ｄ）通信あるいはサイドリンク通信が可能である。そうした通信は、基地局又は異なるノードのいずれかからの同期情報に依存し得る。異なるノードとは、クラスタヘッド（ＣＨ）などであってよく、即ち、ローカルな同期情報を提供する同期ソースとして動作する無線デバイス、又は異なる同期ソースからの同期情報を中継することを可能とされる無線デバイスであってよい。基地局又はＣＨからの同期ソースは、イントラセル／クラスタ通信のために使用される。中継される同期信号は、インターセル／クラスタ通信のために使用される。様々なノードからの同期ソースの様子が図５に示されている。
【０００８】
図５は、通信システム２０を示しており、通信システム２０は、複数のセルへサービスし得る基地局２０と、クラスタヘッド２４及び無線デバイス２６を有する少なくとも１つのクラスタとを伴う。図５において、基地局２２又はクラスタヘッド２４は、同期信号のソースであり得る。ＬＴＥシステムでのカバレッジ内Ｄ２Ｄシナリオについては、ｅＮＢにより同期リファレンスが提供される。Ｄ２Ｄ通信のために使用されるリソースを指し示すために、ｅＮＢによりＤ２Ｄリソースプールがシグナリングされる。カバレッジ外Ｄ２Ｄシナリオについては、同期リファレンスはＣＨにより提供される。
【０００９】
デバイスツーデバイス同期信号（Ｄ２ＤＳＳ）の信号設計は、３ＧＰＰ（third  generation  partnership  project）を形成する団体内で議論されている。現時点の検討の前提では、Ｄ２ＤＳＳは、少なくともプライマリＤ２ＤＳＳ（ＰＤ２ＤＳＳ）を含み、セカンダリＤ２ＤＳＳ（ＳＤ２ＤＳＳ）をも含むかもしれない。この現時点の検討の前提に基づいて、ＰＤ２ＤＳＳ及びＳＤ２ＤＳＳは、それぞれZadoff-Chu（ＺＣ）シーケンス及びＭシーケンスを使用し、それらは、ＬＴＥのＰＳＳ及びＳＳＳとそれぞれ同様であって上で議論されている。従って、既存のタイミング取得回路を最大限再利用する目的で、可能な限りＤ２ＤＳＳのためにＬＴＥのＰＳＳ及びＳＳＳのフォーマットを再利用することが有利である。
【００１０】
ＰＳＳ及びＳＳＳのピーク対平均電力比（ＰＡＰＲ）性能の解析は、ＳＳＳのＰＡＰＲがＰＳＳのＰＡＰＲよりも２ｄＢ程度高いことを示している。より高いＰＡＰＲを有するＳＳＳを送信しなければならないことを回避する目的で、Ｄ２ＤＳＳとして反復されるＰＳＳのみを送信し及びＳＤ２ＤＳＳの送信を回避することが提案されている。このアプローチはＰＡＰＲの課題を効果的に解決する一方で、考察される点として、所与のキャリアへの周波数同期を獲得する目的で、既存のＬＴＥ無線デバイスの実装においてＰＳＳ／ＳＳＳ信号のペアが通常は用いられている。ＳＤ２ＤＳＳがレガシーのＳＳＳに基づかない場合、又は提案されているようにＳＤ２ＤＳＳが全く存在しない場合、デバイス内でのレガシーの同期アルゴリズムの実装をＤ２Ｄ同期のために完全に再利用することができない。一方、２ｄＢ高いＰＡＰＲでのＳＳＳの送信は、大きい信号ダイナミックレンジに起因して、送信機内でより高価な無線増幅器を要することになる。
【発明の概要】
【発明が解決しようとする課題】
【００１１】
本開示は、第１の無線デバイスによって、セカンダリデバイスツーデバイス同期信号（ＳＤ２ＤＳＳ）の電力を設定して、第２の無線デバイスが当該第２の無線デバイスのタイミングを前記第１の無線デバイスのタイミングに同期させることを可能にするための方法及びシステムを有利に提供する。１つの観点によれば、方法は、前記第１の無線デバイスにより送信される第１の信号の電力を決定することと、前記第１の信号の前記電力に基づいて、前記ＳＤ２ＤＳＳの前記電力を設定することと、を含む。
【００１２】
この観点によれば、いくつかの実施形態において、前記第１の信号は、プライマリデバイスツーデバイス同期信号（ＰＤ２ＤＳＳ）である。いくつかの実施形態において、前記ＰＤ２ＤＳＳは、Zadoff-Chu（ＺＣ）シーケンスを含み、前記ＳＤ２ＤＳＳは、Ｍシーケンスを含む。いくつかの実施形態において、前記ＳＤ２ＤＳＳの前記電力は、構成可能な電力オフセットの分だけ、前記ＰＤ２ＤＳＳの前記電力よりも小さく設定される。いくつかの実施形態において、前記方法は、基地局を介して前記構成可能な電力オフセットを受信すること、をさらに含む。いくつかの実施形態において、前記ＳＤ２ＤＳＳの前記電力は、前記ＰＤ２ＤＳＳの前記電力の名目値及び電力閾値のうちの最小値である。いくつかの実施形態において、前記ＳＤ２ＤＳＳの設定される前記電力は、前記第１の信号の前記電力が予め決定される量を上回る場合にのみ調整される。いくつかの実施形態において、同一の回路が、前記ＳＤ２ＤＳＳ及びセカンダリ同期信号（ＳＳＳ）を生成する。
【００１３】
他の観点によれば、実施形態は、無線デバイスであって、セカンダリデバイスツーデバイス同期信号（ＳＤ２ＤＳＳ）の電力を設定して、第２の無線デバイスが当該第２の無線デバイスのタイミングを前記無線デバイスのタイミングに同期させることを可能にする、前記無線デバイスを含む。前記無線デバイスは、プロセッサとメモリとを備える。前記メモリは、前記プロセッサにより実行可能な命令を含む。前記命令は、実行された場合に、前記プロセッサを、前記無線デバイスにより送信される第１の信号の電力を決定し、前記第１の信号の前記電力に基づいて、前記ＳＤ２ＤＳＳの前記電力を設定する、ように構成する。
【００１４】
この観点によれば、いくつかの実施形態において、前記第１の信号は、ＰＤ２ＤＳＳである。いくつかの実施形態において、前記ＰＤ２ＤＳＳは、Zadoff-Chu（ＺＣ）シーケンスを含み、前記ＳＤ２ＤＳＳは、Ｍシーケンスを含む。いくつかの実施形態において、前記ＳＤ２ＤＳＳの前記電力は、構成可能な電力オフセットの分だけ、前記ＰＤ２ＤＳＳの前記電力よりも小さく設定される。いくつかの実施形態において、前記無線デバイスは、基地局を介して前記構成可能な電力オフセットを受信するように構成される送受信機、をさらに備える。いくつかの実施形態において、前記ＳＤ２ＤＳＳは、前記ＰＤ２ＤＳＳの前記電力の名目値及び電力閾値のうちの最小値である。
【００１５】
他の観点によれば、実施形態は、信号電力決定モジュールと、ＳＤ２ＤＳＳ電力設定モジュールと、を有する無線デバイスを含む。前記信号電力決定モジュールは、第１の信号の電力を決定するように構成される。前記ＳＤ２ＤＳＳ電力設定モジュールは、前記第１の信号のモニタリングされた前記電力に基づいて、ＳＤ２ＤＳＳの電力を設定するように構成される。
【００１６】
この観点によれば、いくつかの実施形態において、前記第１の信号は、プライマリデバイスツーデバイス同期信号（ＰＤ２ＤＳＳ）である。いくつかの実施形態において、前記ＰＤ２ＤＳＳは、Zadoff-Chu（ＺＣ）シーケンスを含み、前記ＳＤ２ＤＳＳは、Ｍシーケンスを含む。いくつかの実施形態において、前記ＳＤ２ＤＳＳの前記電力は、前記ＰＤ２ＤＳＳの前記電力の名目値及び電力閾値のうちの最小値である。
【００１７】
他の観点によれば、実施形態は、電力オフセット及び電力閾値のうちの一方を決定し及び無線デバイスへ送信する方法を含む。無線デバイスによりセカンダリデバイスツーデバイス同期信号（ＳＤ２ＤＳＳ）の電力を設定するために、電力オフセット及び電力閾値のうちの少なくとも一方が決定される。前記電力オフセット及び前記電力閾値のうちの前記少なくとも一方は、前記無線デバイスへ送信される。
【００１８】
また別の観点によれば、実施形態は、プロセッサ、通信インタフェース及びメモリを有するネットワークノードを含む。前記メモリは、前記プロセッサにより実行された場合に、前記プロセッサを、無線デバイスによりセカンダリデバイスツーデバイス同期信号（ＳＤ２ＤＳＳ）の電力を設定するための電力オフセット及び電力閾値のうちの少なくとも一方を決定するように構成する命令、を含む。通信インタフェースは、前記電力オフセット及び前記電力閾値のうちの少なくとも一方を前記無線デバイスへ送信するように構成される。前記メモリは、前記電力オフセット及び前記電力閾値のうちの前記少なくとも一方を記憶する、ように構成される。
【００１９】
他の観点によれば、実施形態は、ＳＤ２ＤＳＳを設定するために無線デバイスにより使用される電力オフセットを決定するように構成される電力オフセット決定モジュールと、前記ＳＤ２ＤＳＳの電力を設定すべきかを判定するために前記無線デバイスにより使用される電力閾値を決定するように構成される電力閾値決定モジュールと、を含むネットワークノードを含む。
【図面の簡単な説明】
【００２０】
本実施形態のより完全な理解、並びにそれらの付随する利点及び特徴が、次の添付図面との関係において考慮されれば、以下の詳細な説明への参照によってより容易に理解されるであろう。
【００２１】
【図１】ＰＳＳ及びＳＳＳを伴うＦＤＤフレームの図である。
【図２】ＰＳＳ及びＳＳＳを伴うＴＤＤフレームの図である。
【図３】サブキャリア上へとＺＣシーケンスを変調するＯＦＤＭ変調器の図である。
【図４】周波数領域においてスワップされる２つのシーケンスの図である。
【図５】基地局及びクラスタヘッドを伴う通信システムの図である。
【図６】１つの実施形態に従って構築される無線通信システムのブロック図である。
【図７】１つの実施形態に係る無線デバイスのブロック図である。
【図８】他の実施形態に係る無線デバイスのブロック図である。
【図９】１つの実施形態に係るネットワークノードのブロック図である。
【図１０】他の実施形態に係るネットワークノードのブロック図である。
【図１１】他のデバイスツーデバイス（Ｄ２Ｄ）信号の電力に基づいてＳＳＳの電力を設定するための例示的な処理のフローチャートである。
【図１２】ＰＳＳの電力に基づいてＳＳＳの電力を条件付きで設定するための例示的な処理のフローチャートである。
【図１３】基地局において電力オフセットを決定し及び無線デバイスへ電力オフセットをシグナリングするための例示的な処理のフローチャートである。
【発明を実施するための形態】
【００２２】
本開示に係る例示的な実施形態を詳細に説明する前に、注記されることとして、実施形態は、主として、デバイスツーデバイス通信システムにおける同期信号の電力の設定に関連する装置のコンポーネント及び処理ステップの組合せに属する。それに応じて、システム及び方法のコンポーネントが、適切な形で図中で慣例的なシンボルによって表現されており、それらは、ここでの説明の恩恵を有する分野における当業者にとって容易に明らかとなる詳細によって本開示を曖昧にしないために、本開示の実施形態の理解に関わる特定の詳細のみを示している。
【００２３】
ここで使用されるところでは、“第１”及び“第２”並びに“表”及び“裏”などの関係的な用語は、エンティティ又はエレメントの間の何らの物理的若しくは論理的な関係性又は順序を必ずしも要求せず又は示唆することなく、単にあるエンティティ又はエレメントを他のエンティティ又はエレメントから区別するために使用され得る。本開示は、ＬＴＥシステムの文脈の範囲内の実装を説明しているものの、実施形態は、ＬＴＥ技術に限定されず、任意の３ＧＰＰ（third  generation  partnership  project）技術又は他の無線通信技術の範囲内で実装されることができる。
【００２４】
ＰＤ２ＤＳＳ及びＳＤ２ＤＳＳ（又は何らかの他のＤ２Ｄ信号）の分離型の電力制御が提供され、送信機の実装の制限に対処する目的で、ＳＤ２ＤＳＳの送信電力が個別に設定される（例えば、調整される）。次のように、様々な手法で実装を達成することができる：
・ＳＤ２ＤＳＳは、ＰＤ２ＤＳＳ（及び他のＤ２Ｄ信号）を基準とする予め決定され又は構成可能な電力オフセットを有する；又は
・ＳＤ２ＤＳＳは、Ｄ２Ｄの名目上の送信電力の関数である電力削減分を有する。
【００２５】
ここで使用されるところでは、“名目上の送信電力”という文脈の範囲内での“名目上”との用語は、設定又は仕様に従った所望の電力レベルを意味する。現実的に言うと、実効的な送信電力は、例えば校正の不正確さ又は他のハードウェアの非理想的部分に起因して、名目上の電力とは相違するかもしれない。
【００２６】
典型的には、いくつかのケースでは電力制御があるＤ２Ｄチャネルに適用され得るとしても、Ｄ２Ｄシグナリングは、直接的な同期、ディスカバリ及び通信のためのレンジを最大化する目的で、最大の電力で動作する。よって、直接的な通信チャネルの宛て先がごく近接している場合、通信チャネルの送信電力は、それに応じて調整され得る。特定の送信の対象が近接している場合でさえ、同期信号はブロードキャスト信号であるように意図され、送信機はその同期信号の受信機の位置を認識しないことが多いことから、同期信号を最大の電力で送信することには依然として意味がある。従って、同期信号の電力制御が望まれる。
【００２７】
電力制御は、ＰＡＰＲの大きい信号及びダイナミックレンジに制限のある送信機実装と共に使用され得る。ＬＴＥでは、電力制御は、アップリンク（ＵＬ）において使用されてよく、送信信号は、変調フォーマット及び他のパラメータに依存して比較的大きいＰＡＰＲを有し得る。例えばＵＥなどの無線デバイスは、このケースにおいて、電力バックオフを適用し、即ち、電力増幅器の制限のあるダイナミックレンジに対処する目的で、送信電力を制限する。電力バックオフは、ＵＬ送信の全体に適用されてもよく、又は少なくとも所与のＵＬチャネルに適用されてもよい。
【００２８】
ここでは、Ｄ２Ｄ同期信号を最大電力で送信する際の効率的な無線デバイスの実装を可能とするための、修正された電力バックオフの解決策が説明される。実施形態はＤ２ＤＳＳの文脈において説明されるものの、ここで示される原理は、符号化された信号及びチャネル符号化された送信信号を含む他の信号にも適用可能である。以下の議論では、ＰＤ２ＤＳＳは例えばＺＣシーケンスのようなＰＡＰＲの低いシーケンスに基づく一方、ＳＤ２ＤＳＳは例えばＭシーケンスのような相対的にＰＡＰＲのより高いシーケンスから導出されるものとする。
【００２９】
注目点として、例えばＰＤ２ＤＳＳ及びＳＤ２ＤＳＳといったＤ２ＤＳＳは、互いに異なるＰＡＰＲ特性を伴う複数のリファレンス信号（ＲＳ）から構成される。ＰＤ２ＤＳＳ及びＳＤ２ＤＳＳは、ＰＤ２ＤＳＳ及びＳＤ２ＤＳＳの個別の電力制御が可能であるように時間多重化されるものと想定され得る。また、ＰＤ２ＤＳＳのみに基づいて、例えば時間相関演算によって、タイミングの取得が実行され得る。但し、周波数推定は、関連付けられている信号の位相を、ＰＤ２ＤＳＳ及びＳＤ２ＤＳＳといった近接した間隔を有するＲＳと比較することにより実行されることが多い。周波数は、相関器によって次のように推定され得る：
ｆｅｓｔ＝ａｎｇｌｅ（ｙＰ＊ｙＳ）／（２πＴ）
ここで、ＴはＰＤ２ＤＳＳ／ＳＤ２ＤＳＳの間の時間間隔であり、ｙＰはＰＤ２ＤＳＳに対応する受信信号であり、ｙＳはＳＤ２ＤＳＳに対応する受信信号である。このケースにおいて、推定バイアスは、ＰＤ２ＤＳＳ又はＳＤ２ＤＳＳのいずれかに適用されるいかなるスカラー利得にも不感的（insensitive）である。
【００３０】
図６は、無線通信システムのブロック図であり、当該無線通信システムは、バックホールネットワーク２８、ネットワークノード３０、並びに、ここでは無線デバイス３２と総称される無線デバイス３２ａ、３２ｂ及び３２ｃの集合を含む。無線デバイス３２は、ここで説明される方法に従って、ＳＤ２ＤＳＳの電力を設定するように構成されるＳＤ２ＤＳＳ電力設定器３４を含み得る。ここで使用されるところでは、“設定する”との用語は、ＳＤ２ＤＳＳ電力の初期の確立、ＳＤ２ＤＳＳ電力の再設定、又はＳＤ２ＤＳＳ電力の調整を含み得る。言い換えれば、ここで使用される“設定する”との用語は、初期の開始値に限定されない。
【００３１】
図６において、無線デバイス３２ｂは、クラスタヘッドとして動作してよく、そこには無線デバイス３２ｃなどの他の無線デバイスが同期し得る。また、無線デバイス３２ｂ及び３２ｄに関連して示されているように、無線デバイス３２は、直接的な通信を行ってよく、即ちＤ２Ｄ通信に関与し得る。
【００３２】
図７は、ここで説明されるいくつかの実施形態の原理に従って構築される無線デバイス３２のブロック図である。ここで使用される無線デバイスとの用語は、非限定的であって、例えば、携帯電話、ラップトップコンピュータ、タブレット、電化製品、自動車、又は無線送受信機を有する任意の他のデバイスであってよい。無線デバイス３２は、通信インタフェース３６、メモリ３８及びプロセッサ４０を含む。メモリ３８は、電力オフセット４２、電力閾値４４、及び第１信号電力４６を記憶するように構成される。なお、電力オフセット４２は、ここでは、オフセット値又は電力オフセット値としても言及され得る。プロセッサ４０は、第１信号電力決定器４８を介して、Ｄ２Ｄ信号などの第１の信号の電力を決定するための機能性を含み得る。プロセッサ４０は、ＳＳＳオフセット電力調整を行うように構成されてもよい。また、プロセッサは、閾値比較器５０を介して、ＰＳＳ信号の電力を閾値と比較するように構成されてもよい。また、プロセッサは、ＳＤ２ＤＳＳ電力設定器３４を介してＳＳＳ信号電力を設定（例えば、調整）するように構成されてもよい。いくつかの実施形態において、電力オフセット４２及び／又は電力閾値４４は、基地局といったネットワークノード３０において設定され、通信インタフェース３６の送受信機５２によって受信され得る。
【００３３】
動作中に、無線デバイス３２は、無線デバイス３２により送信される第１の信号の電力４６を決定し、決定した第１の信号の電力に基づいてＳＤ２ＤＳＳの電力を設定する。いくつかの実施形態において、ＳＤ２ＤＳＳの電力は、予め決定される電力オフセット４２の分だけ、第１の信号よりも小さく設定される。いくつかの実施形態において、設定されるＳＤ２ＤＳＳ電力は、ＳＤ２ＤＳＳ電力が予め決定される量を上回る場合にのみ調整される。いくつかの実施形態において、ＳＤ２ＤＳＳは、第１の信号の電力４６及び電力閾値３８のうちの最小値に設定される。ＳＤ２ＤＳＳは、レガシーのセカンダリ同期信号を計算するものと同じ回路によって生成されてよい。
【００３４】
図８を参照すると、１つの実施形態において、無線デバイス３２のメモリ３８は実行可能な命令を含み、それら命令は、プロセッサ４０により実行された場合に、ＳＤ２ＤＳＳの電力を設定するための機能群を稼働させ得る。実行可能な命令は、ソフトウェアモジュールとして配置されてもよい。例えば、信号電力決定モジュール５４は、Ｄ２Ｄ信号といった第１の信号の電力を決定するように構成される。閾値比較モジュール５６は、第１の信号の電力を電力閾値４４と比較するように構成される。ＳＤ２ＤＳＳ電力設定モジュール５８は、ＳＤ２ＤＳＳの電力を設定するように構成される。
【００３５】
いくつかの実施形態において、第１の信号は、ＰＤ２ＤＳＳである。いくつかの実施形態において、ＳＤ２ＤＳＳは、ＰＤ２ＤＳＳ又は他のＤ２Ｄ信号を基準とする予め決定され又は構成可能な電力オフセット４２を有する。例えば、ＰＤ２ＤＳＳは最大送信電力で送信されてもよく、ＳＤ２ＤＳＳはＰＤ２ＤＳＳと比較して予め決定される電力オフセット４２を有し、それは−２ｄＢのオフセットなどである。他の例として、ＰＤ２ＤＳＳは、最大送信電力で送信されてもよく、ＳＤ２ＤＳＳは構成可能な電力オフセットを有し、それは−１、−２、−３又は−４ｄＢなどである。構成可能な電力オフセット４２は、ネットワークにより、無線デバイスに固有であるか又は複数の無線デバイスに共通的であり得る制御メッセージにおいて提供され得る。また別の例として、ＳＤ２ＤＳＳは、スケジューリング割り当て、物理Ｄ２Ｄ同期共有チャネル（ＰＤ２ＤＳＣＨ）又はデータチャネルといった他の信号と比較して予め定義され又は構成可能な電力オフセットを有してもよい。
【００３６】
他の実施形態において、ＳＤ２ＤＳＳは、Ｄ２Ｄ送信電力の関数である電力削減分を有する。この実施形態において、ＳＤ２ＤＳＳは、無線デバイスがＰＤ２ＤＳＳの最大送信電力に近付いた場合にのみ電力制御される。電力削減分は、仕様によって、ネットワークによって、又は無線デバイスによって自律的に、決定されることができる。電力削減分がネットワークによって決定される場合、無線デバイスが自身のＳＤ２ＤＳＳ電力を例えばＰＤ２ＤＳＳの名目上の電力の関数としてチューニングすることを可能とする目的で、何らかのルールが定義され得る。仕様化され又は無線デバイスにより自律的に実装され得るそうしたルールの一例は、次の通りである：
ＰＳ＝ｍｉｎ（ＰＰ，Ｐｍａｘ，Ｓ）
ここで、ＰＳはＳＤ２ＤＳＳ送信電力であり、ＰＰは名目上のＰＤ２ＤＳＳ送信電力であり、Ｐｍａｘ，Ｓは電力閾値である。
【００３７】
上で注記したように、電力オフセット４２は、仕様によって、ネットワークの基地局などのネットワークノード３０によって、又は無線デバイス３２によって自律的に決定されることができる。電力オフセットは、ネットワークノード３０によって決定される場合、無線リソース制御（ＲＲＣ）シグナリングによって、又は共通若しくは専用制御信号によって無線デバイス３２へとシグナリングされることができる。電力オフセットが無線デバイス３２によって自律的に決定される場合、電力オフセットは、シグナリングされなくてよく、実装固有の値であり得る。ネットワークは、無線デバイス３２が何らかの電力オフセットをＳＤ２ＤＳＳへ適用することを認識していなくてもよい。
【００３８】
図９は、本実施形態の原理に従って構築されるネットワークノード３０のブロック図である。ネットワークノード３０は、ＬＴＥ  ｅＮｏｄｅＢ（ｅＮＢ）などの基地局であってもよい。ネットワークノード３０は、通信インタフェース６２、プロセッサ６４、及びメモリ６６を含む。プロセッサ６４は、メモリ６６内に記憶されるコンピュータ命令を実行して、ここで説明したようなネットワークノード３０の機能群を稼動させる。メモリ６６は、電力オフセット６８及び電力閾値７０を記憶するように構成される。通信インタフェース６２は、これら値のうちの一方又は双方を無線デバイス３２へ送信するように構成される。ネットワークノード３０の一実施形態は、決定モジュール７２を含み、決定モジュール７２は、プロセッサ６４により実行された場合に当該プロセッサに電力オフセット及び電力閾値のうちの少なくとも一方を決定させるコンピュータ命令を含む。電力オフセット６８は、無線デバイス３２においてセカンダリ同期信号（ＳＳＳ）をオフセットするために決定され、電力閾値７０は、無線デバイス３２においてプライマリ同期信号（ＰＳＳ）と比較するために決定される。
【００３９】
いくつかの実施形態において、ネットワークノード３０は、ソフトウェアモジュールとして編成されるコンピュータ命令を実行するプロセッサと共に構成されてもよい。それに応じて、図１０は、電力オフセット決定モジュール７４及び電力閾値決定モジュール７６を有するネットワークノード３０のブロック図である。電力オフセット決定モジュール７４は、無線デバイスによりＳＤ２ＤＳＳを設定するために使用される電力オフセットを決定する。電力閾値決定モジュール７６は、無線デバイスにより例えばＳＤ２ＤＳＳをいつ調整すべきかを判定するために使用される電力閾値を決定する。例えば、ＰＤ２ＤＳＳが閾値を上回る場合、無線デバイスは、ＳＤ２ＤＳＳを設定することになる。
【００４０】
図１１は、ＳＳＳの電力を他のデバイスツーデバイス（Ｄ２Ｄ）信号の電力に基づいて設定するための例示的な処理のフローチャートである。Ｄ２Ｄ信号の電力が決定される（ブロックＳ１００）。ＳＳＳ信号の電力がＤ２Ｄ信号の電力に基づいて設定され得る（ブロックＳ１０２）。例えば、ＳＳＳ信号は、２ｄＢといった固定的な量だけＰＳＳからオフセットされるように設定され得る。１つの実施形態において、Ｄ２Ｄ信号の電力は、基地局２２といったネットワークノード３０によりモニタリングされてもよい。他の実施形態において、Ｄ２Ｄ信号は、クラスタヘッド３２ｂ又は２４といったクラスタヘッドによりモニタリングされてもよい。また別の実施形態において、Ｄ２Ｄ信号は、クラスタヘッドとしてサービスしていない無線デバイス３２ａによってモニタリングされてもよい。
【００４１】
図１２は、ＰＳＳの電力に基づいてＳＳＳの電力を条件付きで設定するための例示的な処理のフローチャートである。ＰＳＳの電力がモニタリングされる（ブロックＳ１０４）。ブロックＳ１０６において判定されるように、ＰＳＳの電力が閾値を上回る場合、ＳＳＳの電力が設定（例えば調整）される（ブロックＳ１０８）。そうでない場合、ＰＳＳの電力のモニタリングが継続される（ブロックＳ１０４）。
【００４２】
このように、ＳＤ２ＤＳＳ信号のカバレッジと無線デバイスの送信機についての実装の複雑さとの間のトレードオフを達成することが実施形態によって可能となる。
【００４３】
以下は、例示的な実施形態のリストである。
実施形態１：
無線デバイスにおいて、Ｄ２Ｄ通信をサポートする無線通信ネットワーク内でデバイスツーデバイス（Ｄ２Ｄ）同期信号を生成する方法であって、
第１のＤ２Ｄ信号の電力を決定することと、
前記第１のＤ２Ｄ信号の電力に基づいて、セカンダリ同期信号（ＳＳＳ）の電力を調整することと、
を含む方法。
【００４４】
実施形態２：
前記第１のＤ２Ｄ信号は、前記調整を行う無線デバイスの信号である、実施形態１の方法。
【００４５】
実施形態３：
前記第１のＤ２Ｄ信号は、プライマリ同期信号（ＰＳＳ）である、実施形態１の方法。
【００４６】
実施形態４：
前記ＳＳＳの電力は、前記ＰＳＳから予め決定される量だけオフセットされるように調整される、実施形態３の方法。
【００４７】
実施形態５：
前記ＳＳＳの電力は、前記ＰＳＳから２ｄＢオフセットされるように調整される、実施形態４の方法。
【００４８】
実施形態６：
前記ＳＳＳは、前記ＰＳＳの電力が最大電力レベルである場合にのみ、前記ＰＳＳの電力からオフセットされる、実施形態３の方法。
【００４９】
実施形態７：
ＳＳＳ電力の前記調整は、ユーザ機器により自律的に行われる、実施形態１の方法。
【００５０】
実施形態８：
前記ＳＳＳの調整後の前記ＳＳＳの電力は、基地局により特定される、実施形態１の方法。
【００５１】
実施形態９：
オフセット値を記憶するように構成されるメモリと、
前記メモリと通信関係にあるプロセッサと、
を備え、
前記プロセッサは、第１のデバイスツーデバイス（Ｄ２Ｄ）信号から前記オフセット値の分だけオフセットされるセカンダリ同期信号（ＳＳＳ）の電力を決定する、ように構成される、
無線デバイス。
【００５２】
実施形態１０：
電力閾値を記憶するように構成されるメモリと、
前記メモリと通信関係にあるプロセッサと、
を備え、
前記プロセッサは、電力閾値及びプライマリ同期信号（ＰＳＳ）の電力のうちの最小値であるセカンダリ同期信号（ＳＳＳ）の電力を決定する、ように構成される、
無線デバイス。
【００５３】
実施形態１１：
第１のデバイスツーデバイス（Ｄ２Ｄ）信号の電力を決定するように構成される決定モジュールと、
前記第１のＤ２Ｄ信号に基づいて、セカンダリ同期信号（ＳＳＳ）の電力を調整する、ように構成される調整モジュールと、
を備える無線デバイス。
【００５４】
実施形態１２：
ネットワークノードにおける、無線デバイスの同期信号の電力を制御するための方法であって、
前記無線デバイスにおいてセカンダリ同期信号（ＳＳＳ）の電力をオフセットするための電力オフセット、及び前記無線デバイスにおいてプライマリ同期信号（ＰＳＳ）と比較するための電力閾値、のうちの少なくとも一方を決定することと、
前記電力オフセット及び前記電力閾値のうちの前記少なくとも一方を前記無線デバイスへ送信することと、
を含む方法。
【００５５】
実施形態１３：
無線デバイスにおいてセカンダリ同期信号（ＳＳＳ）をオフセットするために決定される電力オフセット、及び前記無線デバイスにおいてプライマリ同期信号（ＰＳＳ）と比較するために決定される電力閾値、のうちの少なくとも一方を記憶するように構成されるメモリと、
前記電力オフセット及び前記電力閾値のうちの前記少なくとも一方を前記無線デバイスへ送信するように構成される送信機と、
を備えるネットワークノード。
【００５６】
実施形態１４：
電力オフセット及び電力閾値のうちの少なくとも一方を決定するように構成される決定モジュールであって、前記電力オフセットは無線デバイスにおいてセカンダリ同期信号（ＳＳＳ）をオフセットするために決定され、前記電力閾値は前記無線デバイスにおいてプライマリ同期信号（ＰＳＳ）と比較するために決定される、前記決定モジュールと、
決定される前記電力オフセット及び前記電力閾値のうちの前記少なくとも一方を前記無線デバイスへ送信する、ように構成される送信モジュールと、
を備えるネットワークノード。
【００５７】
実施形態は、ハードウェア又はハードウェアとソフトウェアとの組合せで実現されることができる。ここで説明した方法を遂行するために適合されるいかなる種類のコンピューティングシステム又は他の装置も、ここで説明した機能を実行することに適する。ハードウェアとソフトウェアとの典型的な組合せは、１つ以上の処理要素と、記憶媒体上に記憶されるコンピュータプログラムとを有する特殊化されたコンピュータシステムであってよく、コンピュータプログラムは、ロードされ及び実行された場合に、コンピュータシステムを、ここで説明した方法を遂行するように制御する。実施形態は、ここで説明した方法の実装を可能にする全ての特徴を含むコンピュータプログラムプロダクトに組み込まれることもでき、コンピュータプログラムプロダクトは、コンピューティングシステムにロードされた場合にそれら方法を遂行することができる。記憶媒体とは、任意の揮発性又は不揮発性の記憶デバイスをいう。
【００５８】
現在の文脈におけるコンピュータプログラム又はアプリケーションは、情報処理ケイパビリティを有するシステムに、特定の機能を直接的に、又はａ）他の言語、コード若しくは表記法への変換、ｂ）異なる実体的形式での再生、のうちのいずれか若しくは双方の後に、実行させることを意図される命令セットの、任意の言語、コード又は表記法での何らかの表現を意味する。
【００５９】
本発明はこれまでに具体的に示し及び説明したものへと限定されないことが当業者によって理解されるであろう。加えて、別段の言及が上でなされていない限り、添付図面の全ては等尺ではないことが注記されるべきである。次の特許請求の範囲のスコープから逸脱することなく、上の教示を踏まえて多様な修正及び変形が可能である。
【図１】
0006360190.tif 000002
【図２】
0006360190.tif 000003
【図３】
0006360190.tif 000004
【図４】
0006360190.tif 000005
【図５】
0006360190.tif 000006
【図６】
0006360190.tif 000007
【図７】
0006360190.tif 000008
【図８】
0006360190.tif 000009
【図９】
0006360190.tif 000010
【図１０】
0006360190.tif 000011
【図１１】
0006360190.tif 000012
【図１２】
0006360190.tif 000013
【図１３】
0006360190.tif 000014